(57)【要約】【課題】大型化することなく、デザイン性を向上でき、折り畳み式財布を折り畳み式財布収納部材に対して容易に収納することができる財布構造体を提供する。【解決手段】折り畳み式財布１０は、ベース部材６０と、ベース部材６０に取り付けられる第１中間部材６２と、ベース部材６０に取り付けられる第２中間部材６４と、第１中間部材６２に取り付けられる第１収納部材６６と、第２中間部材６４に取り付けられる第２収納部材６８と、を有し、第１中間部材６２は、ベース部材６０に固定される固定部６２Ａと、固定部６２Ａに接続されベース部材に対して相対移動可能に設けられる可動部６２Ｂと、を有し、可動部６２Ｂが、ベース部材６０に対する相対移動が可能な状態で第２中間部材６４と第２収納部材６８との間に挿入されている。【選択図】      図３３
2015180235.tif 000002
【特許請求の範囲】
【請求項１】
折り畳み式財布と、前記折り畳み式財布を収納する折り畳み式財布収納部材と、を有する財布構造体であって、
前記折り畳み式財布収納部材は、
収納部材本体と、
前記収納部材本体に設けられ、折り畳み式財布を折り畳む前の開いた状態で当該折り畳み式財布を収納する財布収納部と、
前記財布収納部に形成され、前記折り畳み式財布の所定の領域を露出する開口部と、
を有し、
前記折り畳み式財布は、
ベース部材と、
前記ベース部材に取り付けられる第１中間部材と、
前記ベース部材に取り付けられる第２中間部材と、
前記第１中間部材に取り付けられる第１収納部材と、
前記第２中間部材に取り付けられる第２収納部材と、
を有し、
前記第１中間部材は、前記ベース部材に固定される固定部と、前記固定部に接続され前記ベース部材に対して相対移動可能に設けられる可動部と、を有し、
前記可動部が、前記ベース部材に対する相対移動が可能な状態で前記第２中間部材と前記第２収納部材との間に挿入されていることを特徴とする財布構造体。
【請求項２】
前記折り畳み式財布は、
前記第１収納部材側と前記第１中間部材との間に形成された第１溝部と、
前記第２収納部材側と前記第２中間部材との間に形成された第２溝部と、
を有し、
前記財布収納部が前記折り畳み式財布を収納した状態で、前記財布収納部が前記第１溝部及び前記第２溝部に挿入することを特徴とする請求項１に記載の財布構造体。
【発明の詳細な説明】
【技術分野】
【０００１】
本発明は、折り畳み式財布を折り畳み式財布収納部材に収納した財布構造体に関する。
【背景技術】
【０００２】
従来の財布には、いわゆる長財布と、いわゆる折り畳み式財布と、がある。例えば、折り畳み式財布を所有している者は、服装や状況によっては長財布を使用したいときがある。このような場合に備えて長財布と折り畳み式財布の両方を所有しておき、適宜、使い分けて使用している。
【０００３】
ところで、長財布と折り畳み式財布の両方を使い分ける際に、一方の財布の中身を他方の財布に入れ替える必要が生じる。財布には、現金の他に、複数のカード類等が収納されており、その都度、入れ替え作業をすることは面倒である。
【０００４】
特許文献２の財布では、小さな長財布をそれよりも大きな長財布に収納しており、かつ小さな長財布が開いた状態を維持していないので、小さな長財布の使用に手間が生じる問題がある。
【０００５】
特許文献３の財布では、折り畳み式財布ではない小型の財布を折り畳み式財布に収納しており、本願の課題及び構成とは異なるものである。
【０００６】
このため、折り畳み式財布をそのまま収納可能な折り畳み式財布収納部材があれば便利である。これによれば、折り畳み式財布の中身を入れ替えることなく、長財布として使用することが可能になる。
【先行技術文献】
【特許文献】
【０００７】
【特許文献１】特開２００７−１６００５４号公報
【特許文献２】特開２０００−３２５１２２号公報
【特許文献３】特開２００１−６１５２８号公報
【発明の概要】
【発明が解決しようとする課題】
【０００８】
しかしながら、折り畳み式財布が開いた状態になると、折り畳み式財布の中央部分に湾曲状の膨らみが生じていた。このため、折り畳み式財布が開いた状態で折り畳み式財布収納部材に収納すると、折り畳み式財布の中央部分の膨らみが折り畳み式財布収納部材を介して外側に膨らみ、デザインの観点から好ましくなかった。
【０００９】
また、折り畳み式財布収納部材に形成される収納スペースの寸法を折り畳み式財布の中央部分の膨らみを考慮して大きく設計する必要があり、収納スペースの寸法が大きくなる課題もある。
【００１０】
そこで、本発明は、上記問題に鑑み、大型化することなく、デザイン性を向上でき、折り畳み式財布を折り畳み式財布収納部材に対して容易に収納することができる財布構造体を提供することを目的とする。
【課題を解決するための手段】
【００１１】
本発明は、折り畳み式財布と、前記折り畳み式財布を収納する折り畳み式財布収納部材と、を有する財布構造体であって、前記折り畳み式財布収納部材は、収納部材本体と、前記収納部材本体に設けられ、折り畳み式財布を折り畳む前の開いた状態で当該折り畳み式財布を収納する財布収納部と、前記財布収納部に形成され、前記折り畳み式財布の所定の領域を露出する開口部と、を有し、前記折り畳み式財布は、ベース部材と、前記ベース部材に取り付けられる第１中間部材と、前記ベース部材に取り付けられる第２中間部材と、前記第１中間部材に取り付けられる第１収納部材と、前記第２中間部材に取り付けられる第２収納部材と、を有し、前記第１中間部材は、前記ベース部材に固定される固定部と、前記固定部に接続され前記ベース部材に対して相対移動可能に設けられる可動部と、を有し、前記可動部が、前記ベース部材に対する相対移動が可能な状態で前記第２中間部材と前記第２収納部材との間に挿入されていることを特徴とする。
【００１２】
この場合、前記折り畳み式財布は、前記第１収納部材側と前記第１中間部材との間に形成された第１溝部と、前記第２収納部材側と前記第２中間部材との間に形成された第２溝部と、を有し、前記財布収納部が前記折り畳み式財布を収納した状態で、前記財布収納部が前記第１溝部及び前記第２溝部に挿入することが好ましい。
【００１３】
本発明は、折り畳み式財布を収納する折り畳み式財布収納部材であって、収納部材本体と、前記収納部材本体に設けられ、折り畳み式財布を折り畳む前の開いた状態で当該折り畳み式財布を収納する財布収納部と、前記財布収納部に形成され、前記折り畳み式財布の所定の領域を露出する開口部と、を有する。
【００１４】
この場合、前記財布収納部は、前記折り畳み式財布の外縁の少なくとも一部を支持することが好ましい。
【００１５】
この場合、前記財布収納部は、前記折り畳み式財布の角部の少なくとも一部を支持することが好ましい。
【００１６】
この場合、前記財布収納部の前記開口部側に、前記開口部の開口面方向に沿って伸縮可能なマチ部を設けたことが好ましい。
【００１７】
この場合、前記マチ部に、小物を収納可能な小物収納部を設けたことが好ましい。
【００１８】
この場合、前記マチ部及び前記小物収納部をそれぞれ複数設けたことが好ましい。
【００１９】
この場合、前記財布収納部に、前記折り畳み式財布を挿入するときの入口になる収納入口部が形成され、かつ、前記収納入口部は、湾曲状の縁部を有することが好ましい。
【００２０】
この場合、前記財布収納部に、前記折り畳み式財布を挿入するときの入口になる収納入口部が形成され、かつ、前記財布収納部に前記折り畳み式財布を収納した状態で、前記収納入口部から前記折り畳み式財布の挿入方向の端部がはみ出した位置にあることが好ましい。
【００２１】
この場合、前記収納部材本体及び前記財布収納部は、革類、布類、ビニール類、ナイロン類のいずれかで構成されていることが好ましい。
【発明の効果】
【００２２】
本発明によれば、折り畳み式財布の中身を入れ替えることなく、長財布として使用することができる。
【００２３】
また、大型化することなく、かつデザイン性を向上でき、折り畳み式財布を折り畳み式財布収納部材に対して容易に収納することができる。
【図面の簡単な説明】
【００２４】
【図１】本発明の各実施形態に係る財布構造体の折り畳み式財布収納部材に収納される折り畳み式財布の折り畳む前の開いた状態を示した正面図である。
【図２】本発明の各実施形態に係る財布構造体の折り畳み式財布収納部材に収納される折り畳み式財布の折り畳んだ後の閉じた状態を示した正面図である。
【図３】図２の折り畳み式財布の第１変形例の開いた状態を示した正面図である。
【図４】図２の折り畳み式財布の第２変形例の開いた状態を示した正面図である。
【図５】図２の折り畳み式財布の第３変形例の開いた状態を示した正面図である。
【図６】図２の折り畳み式財布の第４変形例の開いた状態を示した正面図である。
【図７】本発明の第１実施形態に係る財布構造体の折り畳み式財布収納部材であって折り畳み式財布の収納前の開いた状態を示した正面図である。
【図８】本発明の第１実施形態に係る財布構造体の折り畳み式財布収納部材の閉じた状態を示した正面図である。
【図９】本発明の第１実施形態に係る財布構造体の折り畳み式財布収納部材の閉じた状態を示した背面図である。
【図１０】本発明の第１実施形態に係る財布構造体の折り畳み式財布収納部材であって折り畳み式財布の収納後の開いた状態を示した正面図である。
【図１１】本発明の第１実施形態に係る財布構造体の折り畳み式財布収納部材であって折り畳み式財布の収納後の閉じた状態を示した断面図である。
【図１２】本発明の第２実施形態に係る財布構造体の折り畳み式財布収納部材であって折り畳み式財布の収納前の開いた状態を示した正面図である。
【図１３】本発明の第２実施形態に係る財布構造体の折り畳み式財布収納部材の閉じた状態を示した背面図である。
【図１４】本発明の第２実施形態に係る財布構造体の折り畳み式財布収納部材であって折り畳み式財布の収納後の開いた状態を示した正面図である。
【図１５】本発明の第３実施形態に係る財布構造体の折り畳み式財布収納部材であって折り畳み式財布の収納前の開いた状態を示した斜視図である。
【図１６】本発明の第３実施形態に係る財布構造体の折り畳み式財布収納部材の閉じた状態を示した正面図である。
【図１７】本発明の第３実施形態に係る財布構造体の折り畳み式財布収納部材の閉じた状態を示した背面図である。
【図１８】本発明の第４実施形態に係る財布構造体の折り畳み式財布収納部材であって折り畳み式財布の収納前の開いた状態を示した斜視図である。
【図１９】本発明の第４実施形態に係る財布構造体の折り畳み式財布収納部材の閉じた状態を示した正面図である。
【図２０】本発明の第４実施形態に係る財布構造体の折り畳み式財布収納部材であって折り畳み式財布の収納後の開いた状態を示した斜視図である。
【図２１】本発明の第１実施形態に係る財布構造体の折り畳み式財布収納部材の第１変形例であって折り畳み式財布の収納前の開いた状態を示した正面図である。
【図２２】本発明の第１実施形態に係る財布構造体の折り畳み式財布収納部材の第１変形例であって閉じた状態を示した正面図である。
【図２３】本発明の第１実施形態に係る財布構造体の折り畳み式財布収納部材の第１変形例であって閉じた状態を示した背面図である。
【図２４】本発明の第１実施形態に係る財布構造体の折り畳み式財布収納部材の第１変形例であって開いた状態から閉じる状態までの過程を示した説明図である。
【図２５】本発明の第１実施形態に係る財布構造体の折り畳み式財布収納部材の第２変形例であって折り畳み式財布の収納前の開いた状態を示した正面図である。
【図２６】本発明の第１実施形態に係る財布構造体の折り畳み式財布収納部材の第２変形例であって閉じた状態を示した正面図である。
【図２７】本発明の第１実施形態に係る財布構造体の折り畳み式財布収納部材の第３変形例であって折り畳み式財布を収納するときの状態を示した正面図である。
【図２８】本発明の第１実施形態に係る財布構造体の折り畳み式財布収納部材の第３変形例であって折り畳み式財布を収納した後の状態を示した斜視図である。
【図２９】本発明の折り畳み式財布収納部材に設けられるカード類収納ポケットの第１変形例を示した図である。
【図３０】本発明の折り畳み式財布収納部材に設けられるカード類収納ポケットの第２変形例を示した図である。
【図３１】本発明の折り畳み式財布収納部材に設けられるカード類収納ポケットの第３変形例を示した図である。
【図３２】中間部材を備えた折り畳み式財布の折り畳む前の開いた状態を示した正面図である。
【図３３】中間部材を備えた折り畳み式財布の説明である。
【図３４】中間部材を備えた折り畳み式財布に第１収納部材及び第２収納部材を取り付けるときの図である。
【図３５】折り畳み式財布収納部材を折り畳み式財布収納部材に収納するときの状態を示した図である。
【発明を実施するための形態】
【００２５】
本発明の第１実施形態に係る財布構造体について、図面を参照して説明する。
【００２６】
図３４及び図３５に示すように、財布構造体４８は、折り畳み式財布収納部材２０と、折り畳み式財布１０と、で構成される。
【００２７】
次に、折り畳み式財布収納部材に収納される折り畳み式財布について説明する。
【００２８】
図１及び図２に示すように、折り畳み式財布１０は、長手方向（図１中矢印Ｘ方向）に対して直交する方向（図１中矢印Ｙ方向）に延びる中心線ＣＬを基準として折り畳みが可能なように構成されている。
【００２９】
折り畳み式財布１０の中心線ＣＬを基準として一方側には、例えば、小銭（あるいはコイン）を収納する小銭類収納部１２が設けられている。また、折り畳み式財布１０の中心線ＣＬを基準として他方側には、カード類を収納するカード類収納部１４が設けられている。さらに、必要に応じて、お札類を収納する札類収納部１６が設けられている。
【００３０】
ここで、折り畳み式財布１０には、以下に示すように、折り畳み式財布１０の折り畳む前の開いた平面状態において中央部１８の膨らみが生じ難い様々な工夫点が施されている。
【００３１】
具体的には、上記小銭類収納部１２とカード類収納部１４との間に位置する中央部１８が、厚みの比較的薄い素材で構成されていたり、あるいは少なくとも一部が伸縮可能な素材（例えばゴム等）で構成されている。
【００３２】
中央部１８の厚みは、例えば、０．１ｍｍ以上１．０ｍｍ以下の範囲が好ましく、さらには０．３ｍｍが好ましい。また、中央部１８が２重構造で構成されている場合には、２重構造の全てあるいは一重構造の部分のみが伸縮素材等で構成されている。これらの工夫により、折り畳み式財布１０の折り畳む前の開いた平面状態において、中央部１８の膨らみを大幅に抑制することができる。
【００３３】
折り畳み式財布１０は、以下に示す構造上の特徴技術を有してもよい。
【００３４】
（第１特徴技術）
図３２及び図３３に示すように、折り畳み式財布１０は、ベース部材６０と、ベース部材６０に取り付けられる第１中間部材６２と、ベース部材６０に取り付けられる第２中間部材６４と、第１中間部材６２に取り付けられる第１収納部材６６と、第２中間部材６４に取り付けられる第２収納部材６８と、を有する。
【００３５】
第１収納部材６６には、小銭類収納部１２又はカード類収納部１４のいずれか一方又は両方が設けられる。第２収納部材６８には、小銭類収納部１２又はカード類収納部１４のいずれか一方又は両方が設けられる。
【００３６】
ベース部材６０と第１中間部材６２との間に形成された第１スペース７０と、ベース部材６０と第２中間部材６４との間に形成された第２スペース７２と、が連通して、一つの大きな札入れスペース７４が形成されている。当該札入れスペース７４には、紙幣が収容可能になる。
【００３７】
ここで、第１中間部材６２は、ベース部材６０に固定される固定部６２Ａと、固定部６２Ａに接続されベース部材６０に対して相対移動可能に設けられる可動部６２Ｂと、を有する。
【００３８】
第１中間部材６２の固定部６２Ａがベース部材６０に縫い付け等により固定される。第１収納部材６６が第１中間部材６２の固定部６２Ａに対して縫い付け等により固定される。
【００３９】
第２中間部材６４の固定部６２Ａがベース部材６０に縫い付け等により固定される。第２収納部材６８が第２中間部材６４に対して縫い付け等により固定される。
【００４０】
第１中間部材６２の可動部６２Ｂが、ベース部材６０に対する相対移動が可能な状態で第２中間部材６４と第２収納部材６８との間に挿入されている。
【００４１】
換言すれば、可動部６２Ｂは、固定部６２Ａに比較して寸法的に小型に形成されており、かつ可動部６２Ｂと一体又は別体で接続されている。第２収納部材６８が第２中間部材６４に対して固定されたときに、第２収納部材６８と第２中間部材６４との間に開口スペース７６が形成される。可動部６２Ｂは、開口スペース７６に挿入される。このため、可動部６２Ｂは、ベース部材６０に対して相対移動が可能となる状態を維持しながら、第２中間部材６４と第２収納部材６８との間に位置する。このため、可動部６２Ｂは、第２中間部材６４及び第２収納部材６８に対して滑り可能になる。換言すれば、可動部６２Ｂは、第１中間部材７２の自由端として機能する。
【００４２】
第１特徴技術を有することにより、折り畳み式財布１０の開閉動作の際、第１中間部材６２の可動部６２Ｂが、自由端として機能し、ベース部材６０、第２中間部材６４及び第２収納部材６８に対して相対移動する。これにより、可動部６２Ｂが、折り畳み式財布１０の開閉動作に伴う撓みを吸収するための、“あそび”、として機能する。この結果、折り畳み式財布１０の開いた状態において、可動部６２Ｂがベース部材６０側に対して押圧せず、ベース部材６０の膨らみを低減する。
【００４３】
（第２特徴技術）
図３４及び図３５に示すように、第１収納部材６６の端部は、第１中間部材６２に対して所定の距離だけ離間して設けられている。このため、第１収納部材６６の端部と第１中間部材６２との間に、所定の隙間を有する第１溝部７８が形成されている。第１溝部７８は、第１収納部材６６の一方側端部６６Ａと、一方側端部６６Ａと直交する他方側端部６６Ｂにわたって形成されている。
【００４４】
第２収納部材６８の端部は、第２中間部材６４に対して所定の距離だけ離間して設けられている。このため、第２収納部材６８の端部と第２中間部材６４との間に、所定の隙間を有する第２溝部８０が形成されている。第２溝部８０は、第２収納部材６８の一方側端部６８Ａと、一方側端部６８Ａと直交する他方側端部６８Ｂにわたって形成されている。
【００４５】
ここで、折り畳み式財布１０が折り畳み式財布収納部材２０に収納された状態において、第１収納部材６６の一方側端部６６Ａ側に形成された第１溝部７８には、第１支持部２６の端部が挿入される。また、第２収納部材６８の一方側端部６８Ａ側に形成された第２溝部８０には、第２支持部２８の端部が挿入される。さらに、第１収納部材６６の他方側端部６６Ｂ側に形成された第１溝部７８と、第２収納部材６８の他方側端部６８Ｂ側に形成された第２溝部８０と、にわたって、接続部３０の端部が挿入される。
【００４６】
第２技術特徴を有することにより、折り畳み式財布１０が折り畳み式財布収納部材２０に収納されるときに、第１収納部材６６と第１中間部材６２との間に形成された第１溝部７８に第１支持部２６の端部が挿入される。また、第２収納部材６８と第２中間部材６８との間に形成された第２溝部８０に第２支持部２８の端部が挿入される。さらには、第１収納部材６６と第１中間部材６２との間に形成された第１溝部７８と、第２収納部材６８と第２中間部材６４との間に形成された第２溝部８０と、にわたって接続部３０の端部が挿入される。
【００４７】
これにより、折り畳み式財布収納部材２０の財布収納部２４が折り畳み式財布１０の第１収納部材６６及び第２収納部材６８に対して係合する。この結果、折り畳み式財布１０が折り畳み式財布収納部材２０に収納された状態において、折り畳み式財布収納部材２０による折り畳み式財布１０の保持が強化される。また、折り畳み式財布１０が折り畳み式財布収納部材２０に収納された状態において、第１収納部材６６及び第２収納部材６８の表面側が財布収納部２４よりも突出するため、第１収納部材６６及び第２収納部材６８からの収納物の取り出し操作及び第１収納部材６６及び第２収納部材６８に対する収納物の収納操作が容易になる。
【００４８】
図３乃至図６は、折り畳み式財布１０の構成のバリエーションを図示したものである。図３乃至図６に示す折り畳み式財布１０の構成は、あくまでも一例であり、この構成に限定されるものではない。折り畳み式財布１０の一般的な形態や構成についても、適宜採用することができる。
【００４９】
次に、折り畳み式財布収納部材について説明する。
【００５０】
図７乃至図１１に示すように、折り畳み式財布収納部材２０は、例えば、収納部材本体２２と、収納部材本体２２に設けられ折り畳み式財布１０を折り畳む前の開いた状態で当該折り畳み式財布１０を収納する財布収納部２４と、財布収納部２４に形成され折り畳み式財布の所定の領域を露出する開口部２５と、を有している。
【００５１】
収納部材本体２２は、平面視にて方形状に形成されており、略中心を通る折曲線ＢＬを基準として一方側に形成されたカバー部２２Ａと、折曲線ＢＬを基準として他方側に形成されたベース部２２Ｂと、で構成されている。
【００５２】
カバー部２２Ａの角部には、所定の曲率で湾曲した湾曲部２２Ｃが形成されている。これにより、カバー部２２Ａのベース部２２Ｂに対する開閉動作が容易になる。
【００５３】
ベース部２２Ｂには、財布収納部２４が設けられている。財布収納部２４のベース部２２Ｂに対する取付手段は、従来技術を適宜採用することができる。取付手段として、例えば、縫い付け等により実現されていることが好ましい。
【００５４】
財布収納部２４は、所定の厚みを備え折り畳み式財布１０の挿入方向に沿って延びる第１支持部２６と、第１支持部２６に対して略平行に形成され所定の厚みを備えるとともに折り畳み式財布１０の挿入方向に沿って延びる第２支持部２８と、所定の厚みを備えるとともに第１支持部２６と第２支持部２８とを接続する接続部３０と、で構成されている。
【００５５】
第１支持部２６、第２支持部２８及び接続部３０は、例えば一体形成されており、折り畳み式財布１０の端部から所定の寸法だけ内側に延在した内側支持部３２を有している。
【００５６】
図７、図１０及び図１１に示すように、第１支持部２６は、所定の厚み部３４を有しており、例えば、折り畳み式財布１０の折り畳む前の開いた状態において厚み部３４に収納された折り畳み式財布１０の一方側端部を支持する。図１０では、第１支持部２６は、折り畳み式財布１０の左側端部を支持している。
【００５７】
第２支持部２８は、所定の厚み部３４を有しており、例えば、折り畳み式財布１０の折り畳む前の開いた状態において厚み部３４に収納された折り畳み式財布１０の他方側端部を支持する。図１０では、第２支持部２８は、折り畳み式財布１０の右側端部を支持している。
【００５８】
接続部３０は、所定の厚み部３４を有しており、例えば、折り畳み式財布１０の折り畳む前の開いた状態において厚み部３４に収納された折り畳み式財布１０の上端部又は下端部を支持する。図１０では、接続部３０は、折り畳み式財布１０の下端部を支持している。
【００５９】
ここで、第１支持部２６の端部は、前記折り畳み式財布１０を挿入するときの入口になる第１収納入口部２６Ａが形成されている。当該第１収納入口部２６Ａは、平面視にて湾曲状の第１縁部２６Ｂを有する。
【００６０】
図１０に示すように、第１収納入口部２６Ａの長さ寸法は、財布収納部２４に折り畳み式財布１０を収納した状態で、折り畳み式財布１０の挿入方向の下流側端部が第１収納入口部２６Ａの先端部から所定のはみ出し寸法Ｓだけはみ出した位置になるように設定されている。当該はみ出し寸法Ｓは、材質、全体の寸法等に応じて適宜設定することができる。
【００６１】
同様にして、第２支持部２８の端部は、折り畳み式財布１０を挿入するときの入口になる第２収納入口部２８Ａが形成されている。当該第２収納入口部２８Ａは、平面視にて湾曲状の第２縁部２８Ｂを有する。
【００６２】
また、第２収納入口部２８Ａの長さ寸法は、折り畳み式財布１０の挿入方向の下流側端部が第２収納入口部２８Ａの先端部から所定のはみ出し寸法Ｓだけはみ出した位置になるように設定されている。当該はみ出し寸法Ｓは、材質、全体の寸法等に応じて適宜設定することができる。
【００６３】
開口部２５は、財布収納部２４により区画形成されており、折り畳み式財布１０の所定の領域を露出する。具体的には、開口部２５は、第１支持部２６、第２支持部２８及び接続部３０の連続した縁部により区画形成されている。
【００６４】
折り畳み式財布１０の所定の領域とは、例えば、折り畳み式財布１０が開いた状態で財布収納部２４に収納された状態で、小銭類収納部１２及びカード類収納部１４の全てが開口部２５に露出した状態を意味する。
【００６５】
具体的には、小銭類収納部１２及びカード類収納部１４の全てが開口部２５を通して露出しているため、折り畳み式財布１０が開いた状態で財布収納部２４に収納された状態で、小銭類収納部１２及びカード類収納部１４に小銭やカードを自在に収納し、又は小銭類収納部１２及びカード類収納部１４から小銭やカードを取り出すことが可能になる。
【００６６】
なお、折り畳み式財布１０の札類収納部１６は、折り畳み式財布１０が開いた状態で財布収納部２４に収納された状態で財布収納部２４の挿入口側に開口しているため、札類収納部１６にお札を自在に収納でき、あるいは札類収納部１６からお札を自在に取り出すことが可能である。
【００６７】
このように、折り畳み式財布１０が開いた状態で財布収納部２４に収納された状態では、折り畳み式財布１０が財布収納部２４に支持されるとともに、開口部２５を通して折り畳み式財布１０の小銭類収納部１２及びカード類収納部１４に対するアクセスが可能になる。これにより、物の出し入れ時において、その都度、折り畳み式財布１０を財布収納部２４から取り出す必要が無くなり、使い勝手が良くなる。
【００６８】
なお、折り畳み式財布収納部材２０の収納部材本体２２及び財布収納部２４は、例えば、革（牛、豚、羊、山羊、馬、ダチョウ、蛇、ワニ等）、合成皮革（スエード、エナメル等）などの革類、布類、ビニール類、ナイロン類で構成されている。特に、革類を適用することにより高級感を出すことができ、ビニール類、ナイロン類を適用することにより汚れの除去が容易になる。さらには、布類を適用することにより洗濯機で掃除することができる等、清掃性が高くなる。
【００６９】
また、折り畳み式財布収納部材２０の収納部材本体２２及び財布収納部２４には、必要に応じて、様々な色彩やデザインが施される。これらについても、特に限定するものではない。
【００７０】
次に、第１実施形態の財布構造体４８の作用・効果について説明する。
【００７１】
図１乃至図６に示すように、折り畳み式財布１０を単体で使用する場合には、小銭類収納部１２に所定の金額の小銭を収納し、札類収納部１６に所定枚数のお札を収納し、カード類収納部１４に所定枚数のカード類を収納して、折り畳み式財布１０のみを持ち歩く。
【００７２】
そして、服装や状況によって長財布を使用する場合には、図７乃至図１１に示すように、折り畳み式財布１０を折り畳む前の開いた状態にして、折り畳み式財布１０を折り畳み式財布収納部材２０の財布収納部２４に収納する。このとき、財布収納部２４の第１支持部２６及び第２支持部２８の各収納入口部２６Ａ、２８Ａから折り畳み式財布１０を挿入する。
【００７３】
折り畳み式財布１０を第１支持部２６及び第２支持部２８に完全に収納した状態では、折り畳み式財布１０の左側端部が第１支持部２６に収納され、折り畳み式財布１０の右側端部が第２支持部２８に収納され、折り畳み式財布１０の下端部が接続部３０に収納される。これにより、折り畳み式財布１０の収納が完了し、折り畳み式財布１０の縁部の少なくとも一部が、第１支持部２６、第２支持部２８及び接続部３０により支持された状態になる。
【００７４】
ここで、折り畳み式財布１０の小銭類収納部１２及びカード類収納部１４は、開口部２５を通して露出しているため、折り畳み式財布１０を財布収納部２４に収納した状態で、小銭類収納部１２及びカード類収納部１４の内部に小銭やカードを自在に収納することができ、あるいは小銭類収納部１２及びカード類収納部１４の内部から小銭やカードを自在に取り出すことができる。また、札類収納部１６の入口が開放されているため、折り畳み式財布１０を財布収納部２４に収納した状態で、札類収納部１６に札類を収納したり、あるいは札類収納部１６に収納していた札類を取り出すことができる。
【００７５】
また、第１支持部２６及び第２支持部２８の各収納入口部２６Ａ、２８Ａには平面視にて湾曲状の各縁部２６Ｂ、２８Ｂが形成されているため、小銭やカードを取り出す際に、たとえ折り畳み式財布１０の少なくとも一部が開口部２５から引っ張り出されて各支持部２６、２８の支持が解除された場合でも、折り畳み式財布１０を元の位置に戻し易くなる。
【００７６】
換言すれば、各収納入口部２６Ａ、２８Ａには角部がないため、折り畳み式財布１０を元の位置に戻す際に、折り畳み式財布１０が各収納入口部２６Ａ、２８Ａに引っ掛からない。そして、折り畳み式財布１０が各収納入口部２６Ａ、２８Ａの各縁部２６Ｂ、２８Ｂを滑るようにして、第１支持部２６及び第２支持部２８の内部に進入する。このようにして、折り畳み式財布１０を元の収納位置に戻すことができる。
【００７７】
また、財布収納部２４に折り畳み式財布１０が完全に収納された状態では、各収納入口部２６Ａ、２８Ａの各先端部から折り畳み式財布１０の挿入方向の下流側端部がはみ出した位置にある。これにより、折り畳み式財布１０の財布収納部２４に対する収納作業及び取り出し作業が容易になる。
【００７８】
以上のようにして、折り畳み式財布１０を長財布として使用したい場合には、上述したように、折り畳む前の開いた状態にした折り畳み式財布１０を折り畳み式財布収納部材２０の財布収納部２４に収納する。これにより、折り畳み式財布１０の中身を入れ替えることなく、そのまま長財布として使用することができる。
【００７９】
次に、第２実施形態に係る財布構造体について、図面を参照して説明する。なお、上記実施形態に係る財布構造体と重複する構成については、同じ符号を付し、説明を省略する。
【００８０】
図１２乃至図１４に示すように、第２実施形態に係る財布構造体の折り畳み式財布収納部材２０では、第１支持部２６、第２支持部２８及び接続部３０の形状を適宜変更して、折り畳み式財布１０の各角部が挿入できるように構成してもよい。
【００８１】
例えば、第１支持部２６、第２支持部２８及び接続部３０の形状を平面視にて三角形状にし、第１支持部２６で折り畳み式財布１０の第１角部１０Ｒ１の少なくとも一部を収納し、第２支持部２８で折り畳み式財布１０の第２角部１０Ｒ２の少なくとも一部を収納し、接続部３０を２つに切り離して折り畳み式財布１０の第３角部１０Ｒ３及び第４角部１０Ｒ４の少なくとも一部を収納する。
【００８２】
第２実施形態に係る折り財布構造体によれば、特に、折り畳み式財布１０の４つの角度１０Ｒ１、１０Ｒ２、１０Ｒ３、１０Ｒ４をピンポイントで支持することができる。このため、折り畳み式財布１０が財布収納部２４に対してスライドすることがなく、折り畳み式財布１０が財布収納部２４から離脱し難くなる。
【００８３】
なお、折り畳み式財布１０の折り畳み式財布収納部材２０に対する収納方法については、第１実施形態の財布構造体と同様の作用・効果を得ることができるため、説明を省略する。
【００８４】
次に、第３実施形態に係る財布構造体について、図面を参照して説明する。なお、上記実施形態に係る財布構造体と重複する構成については、同じ符号を付し、説明を省略する。
【００８５】
図１５乃至図１７に示すように、第３実施形態に係る財布構造体の折り畳み式財布収納部材２０は、財布収納部２４の開口部側に当該開口部２５の開口面方向に沿って伸縮可能な一対の第１マチ部３６を備えている。
【００８６】
第１マチ部３６は、例えば、一対の第１伸縮片３６Ａと、一対の第２伸縮片３６Ｂと、を有している。第１伸縮片３６Ａと第２伸縮片３６Ｂは一体形成されており、両者の境界において折曲線ＴＬが形成されている。第１伸縮片３６Ａと第２伸縮片３６Ｂとが相互に近接あるいは面接触することにより第１マチ部３６が縮み、第１伸縮片３６Ａと第２伸縮片３６Ｂとが大きく離間することにより第１マチ部３６が伸びる。
【００８７】
一対の第２伸縮片３６Ｂには、小物を収納可能な第１小物収納部３８が設けられている。一対の第２伸縮片３６Ｂと第１小物収納部３８とは、例えば一体形成されている。第１小物収納部３８には、例えばカード類収納ポケット４６が形成されており、その内部に小銭、お札、カード類等の小物を収納することができる。
【００８８】
ここで、図１５に示すように、一対の第１伸縮片３６Ａが財布収納部２４の一部を構成し、折り畳み式財布１０を支持する機能を兼備することが好ましい。
【００８９】
なお、図１７に示すように、折り畳み式財布収納部材２０の背面側には、小銭収納ポケット４０が設けられている。これにより、小銭の収納力を高めることができる。
【００９０】
第３実施形態に係る財布構造体によれば、財布収納部２４に折り畳み式財布１０を収納した状態で、第１マチ部３６を伸ばすことにより、使用者の手の挿入スペースを確保することができる。このため、財布収納部２４に収納した折り畳み式財布１０の小銭類収納部１２、カード類収納部１４及び札類収納部１６にお金やカードを容易に収納したり、あるいは取り出したりすることができる。
【００９１】
同時に、お金やカード類を取り損ねた場合でも、第１マチ部３６がこれらの受け部として機能するため、お金やカード類が折り畳み式財布収納部材２０の外部に落下することを防止できる。また、第１マチ部３６の内部に、小銭等のお金等を収納することもできる。
【００９２】
加えて、第１小物収納部３８の内部に、様々な小物を収納することができるため、収納力を高めることができる。また、第１小物収納部３８のカード類収納ポケット４６、及び折り畳み式財布収納部材２０の背面側の小銭収納ポケット４０が設けられているため、小物の収納力が格段に高くなる。
【００９３】
次に、第４実施形態に係る財布構造体について、図面を参照して説明する。なお、上記折り畳み式財布収納部材と重複する構成については、同じ符号を付し、説明を省略する。
【００９４】
図１８乃至図２０に示すように、第４実施形態に係る財布構造体の折り畳み式財布収納部材２０は、財布収納部２４の開口部側に当該開口部２５の開口面方向に沿って伸縮可能な一対の第１マチ部３６を備えている。
【００９５】
第１マチ部３６は、例えば、一対の第１伸縮片３６Ａと、一対の第２伸縮片３６Ｂと、を有している。第１伸縮片３６Ａと第２伸縮片３６Ｂは一体形成されており、両者の境界において折曲線ＴＬが形成されている。第１伸縮片３６Ａと第２伸縮片３６Ｂとが相互に近接あるいは面接触することにより第１マチ部３６が縮み、第１伸縮片３６Ａと第２伸縮片３６Ｂとが大きく離間することにより第１マチ部３６が伸びる。
【００９６】
一対の第２伸縮片３６Ｂには、小物を収納可能な第１小物収納部３８が設けられている。一対の第２伸縮片３６Ｂと第１小物収納部３８とは、例えば一体形成されている。第１小物収納部３８には複数のポケットが形成されており、その内部に小銭、お札、カード類等の小物を収納することができる。
【００９７】
ここで、一対の第１伸縮片３６Ａが財布収納部２４の一部を構成し、折り畳み式財布１０を支持する機能を兼備していることが好ましい。
【００９８】
さらに、第１マチ部３６には、第２マチ部４２が連続して設けられている。
【００９９】
第２マチ部４２は、例えば、一対の第３伸縮片４２Ａと、一対の第４伸縮片４２Ｂと、を有している。第３伸縮片４２Ａと第４伸縮片４２Ｂは一体形成されており、両者の境界において折曲線ＴＬが形成されている。第３伸縮片４２Ａと第４伸縮片４２Ｂとが相互に近接あるいは面接触することにより第２マチ部４２が縮み、第３伸縮片４２Ａと第４伸縮片４２Ｂとが大きく離間することにより第２マチ部４２が伸びる。
【０１００】
また、一対の第４伸縮片４２Ｂには、小物を収納可能な第２小物収納部４４が設けられている。一対の第２伸縮片４２Ｂと第２小物収納部４４とは例えば一体形成されている。第２小物収納部４４の内側には複数のポケット（図示省略）が形成されており、その内部に小銭、お札、カード類等の小物を収納することができる。
【０１０１】
第４実施形態に係る財布構造体によれば、財布収納部２４に折り畳み式財布１０を収納した状態で、第１マチ部３６を伸ばすことにより、使用者の手の挿入スペースを確保することができる。このため、財布収納部２４に収納した折り畳み式財布１０の小銭類収納部１２、カード類収納部１４及び札類収納部１６にお金やカードを容易に収納したり、あるいは取り出したりすることができる。
【０１０２】
同時に、お金やカード類を取り損ねた場合でも、第１マチ部３６がこれらの受け部として機能するため、お金やカード類が折り畳み式財布収納部材２０の外部に落下することを防止できる。また、第１マチ部３６の内部に、小銭等のお金を収納することもできる。
【０１０３】
加えて、第１マチ部３６及び第２マチ部４２の内部、さらには第１小物収納部３８及び第２小物収納部４４の内部に、様々な小物を分割して収納することができるため、収納力を大幅に高めることができる。
【０１０４】
なお、上記各実施形態は、本発明を適用した一例に過ぎないものであり、本発明は上記実施形態の内容に限定されるものではない。
【０１０５】
次に、財布構造体の各種変形例について説明する。なお、上記実施形態に係る財布構造体と重複する構成については、同じ符号を付し、説明を省略する。
【０１０６】
図２１乃至図２４は、本発明の第１実施形態に係る財布構造体の折り畳み式財布収納部材の第１変形例を示す。同図に示すように、当該第１変形例の財布構造体の折り畳み式財布収納部材２０は、２つの折曲線ＢＬを基準として折り曲げ可能な構成である。
【０１０７】
具体的には、折り畳み式財布収納部材２０は、主として、第１カバー部２２Ａ１と、第２カバー部２２Ａ１と、ベース部２２Ｂと、で構成されている。
【０１０８】
第１カバー部２２Ａ１及び第２カバー部２２Ａ２には、カード類を収納するためのカード類収納ポケット４６が設けられている。ベース部２２Ｂには、財布収納部２４が設けられている。
【０１０９】
第２カバー部２２Ａ２には、フック部４８が固定されている。フック部４８の先端部は、ベース部２２Ｂに対して連結可能に構成されている。詳細には、図２４に示すように、折り畳み式財布収納部材２０が閉じるときには、第１カバー部２２Ａ１をベース部２２側に折り畳んだ状態で第２カバー部２２Ａ２を第１カバー部２２Ａ１の上から折り畳む。そして、この状態で、フック部４８の先端部がベース部２２Ｂに接続・固定される。このため、第１カバー部２２Ａ１を挟んだ状態で、第２カバー部２２Ａ２をベース部２２Ｂに対して固定することができる。
【０１１０】
第１変形例においても、第１実施形態に係る財布構造体の折り畳み式財布収納部材２０と同様の作用効果を有する。特に、フック部４８を設けたことにより、折り畳み式財布収納部材２０の閉じた状態を維持する維持力が強くなる。これにより、折り畳み式財布収納部材２０に収納した折り畳み式財布１０の落下を防止できる。
【０１１１】
図２５及び図２６は、本発明の第１実施形態に係る財布構造体の折り畳み式財布収納部材の第２変形例を示す。同図に示すように、当該第２変形例の折り畳み式財布収納部材２０は、１つの折曲線ＢＬを基準として折り曲げ可能な構成である。
【０１１２】
具体的には、折り畳み式財布収納部材２０は、主として、カバー部２２Ａと、ベース部２２Ｂと、で構成されている。
【０１１３】
カバー部２２Ａ及びベース部２２Ｂには、相互に固着可能なボタン部５０が設けられている。これにより、カバー部２２Ａとベース部２２Ｂは、ボタン部５０により強固な固着が可能になる。この結果、折り畳み式財布収納部材２０の使用中において、折り畳み式財布収納部材２０の財布収納部２４から折り畳み式財布１０が落下することを防止できる。
【０１１４】
また、ベース部２２Ｂには、チェーンを挿通するためのチェーン用穴５２が形成されている。チェーン用穴５２にチェーンを挿入して使用者の衣類に固定することにより、折り畳み式財布収納部材２０の使用中における折り畳み式財布収納部材２０の落下を防止できる。
【０１１５】
図２７及び図２８は、本発明の第１実施形態に係る財布構造体の折り畳み式財布収納部材の第３変形例を示す。同様にして、当該第３変形例の折り畳み式財布収納部材２０は、１つの折曲線ＢＬを基準として折り曲げ可能な構成である。
【０１１６】
具体的には、折り畳み式財布収納部材２０の財布収納部２４が正面視にて枠形状に形成されており、その中央に大きな開口部２５が形成されている。財布収納部２４は、折り畳み式財布１０が開いた状態で収納可能に構成されている。
【０１１７】
財布収納部２４に折り畳み式財布１０が収納された状態では、折り畳み式財布１０の小銭類収納部１２及びカード類収納部１４の全てが開口部２５を通して露出しているため、小銭類収納部１２及びカード類収納部１４に小銭やカードを自在に収納し、又は小銭類収納部１２及びカード類収納部１４から小銭やカードを取り出すことが可能になる。
【０１１８】
次に、本発明の折り畳み式財布収納部材に設けられるカード類収納ポケットの各種変形例について説明する。なお、上記実施形態に係る財布構造体の折り畳み式財布収納部材と重複する構成については、同じ符号を付し、説明を省略する。
【０１１９】
図２９は、折り畳み式財布収納部材２０に設けられるカード類収納ポケット４６の第１変形例を示した図である。図３０は、折り畳み式財布収納部材２０に設けられるカード類収納ポケット４６の第２変形例を示した図である。図３１は、折り畳み式財布収納部材２０に設けられるカード類収納ポケット４６の第３変形例を示した図である。
【０１２０】
図２９乃至図３１に示すように、折り畳み式財布収納部材２０に設けられるカード類収納ポケット４６の形状・構成についても、様々な形態のものを適用することができる。
【符号の説明】
【０１２１】
１０      折り畳み式財布
１２      小銭類収納部
１４      カード類収納部
１６      札類収納部
１８      中央部
２０      折り畳み式財布収納部材
２２      収納部材本体
２２Ａ    カバー部
２２Ｂ    ベース部
２４      財布収納部
２５      開口部
２６      第１支持部（財布収納部）
２６Ａ    第１収納入口部（収納入口部）
２６Ｂ    第１縁部（縁部）
２８      第２支持部（財布収納部）
２８Ａ    第２収納入口部（収納入口部）
２８Ｂ    第２縁部（縁部）
３０      接続部（財布収納部）
３２      内側支持部
３４      厚み部
３６      第１マチ部（マチ部）
３８      第１小物収納部（小物収納部）
４０      小銭収納ポケット
４２      第２マチ部（マチ部）
４４      第２小物収納部（小物収納部）
４６      カード類収納ポケット
４８      財布構造体
６０      ベース部材
６２      第１中間部材
６２Ａ    固定部
６２Ｂ    可動部
６４      第２中間部材
６６      第１収納部材
６８      第２収納部材
７０      第１スペース
７２      第２スペース
７４      札入れスペース
７６      開口スペース
７８      第１溝部
８０      第２溝部
【図１】
2015180235.tif 000003
【図２】
2015180235.tif 000004
【図３】
2015180235.tif 000005
【図４】
2015180235.tif 000006
【図５】
2015180235.tif 000007
【図６】
2015180235.tif 000008
【図７】
2015180235.tif 000009
【図８】
2015180235.tif 000010
【図９】
2015180235.tif 000011
【図１０】
2015180235.tif 000012
【図１１】
2015180235.tif 000013
【図１２】
2015180235.tif 000014
【図１３】
2015180235.tif 000015
【図１４】
2015180235.tif 000016
【図１５】
2015180235.tif 000017
【図１６】
2015180235.tif 000018
【図１７】
2015180235.tif 000019
【図１８】
2015180235.tif 000020
【図１９】
2015180235.tif 000021
【図２０】
2015180235.tif 000022
【図２１】
2015180235.tif 000023
【図２２】
2015180235.tif 000024
【図２３】
2015180235.tif 000025
【図２４】
2015180235.tif 000026
【図２５】
2015180235.tif 000027
【図２６】
2015180235.tif 000028
【図２７】
2015180235.tif 000029
【図２８】
2015180235.tif 000030
【図２９】
2015180235.tif 000031
【図３０】
2015180235.tif 000032
【図３１】
2015180235.tif 000033
【図３２】
2015180235.tif 000034
【図３３】
2015180235.tif 000035
【図３４】
2015180235.tif 000036
【図３５】
2015180235.tif 000037